(57)【特許請求の範囲】
【請求項１】
複数の第１ケーブルが所定方向に配列されるように、前記複数の第１ケーブルの端子が夫々着脱される複数の第１着脱部と、複数の第２ケーブルが所定方向に配列されるように、前記複数の第２ケーブルの端子が夫々着脱され、前記複数の第１ケーブルと前記複数の第２ケーブルの夫々が電気的に接続されるように、前記複数の第１着脱部に対して隣接するとともに電気的に結合される複数の第２着脱部と、を有する端子台の接続ケーブル判別装置であって、
前記複数の第１着脱部から脱離している前記第１ケーブルの端子が挿入される絶縁キャップと、
前記第１着脱部と対向する位置において前記絶縁キャップを支持する支持アームと、
前記絶縁キャップに挿入されている前記第１ケーブルと電気的に接続されるべき前記第２ケーブルを判別できるように、当該第２ケーブルに装着される判別片と、
を備えたことを特徴とする端子台の接続ケーブル判別装置。
【請求項２】
前記絶縁キャップと前記判別片を接続する接続紐、
を更に備えたことを特徴とする請求項１に記載の端子台の接続ケーブル判別装置。
【請求項３】
前記支持アームは、前記端子台に対して一体に設けられる
ことを特徴とする請求項１又は２に記載の端子台の接続ケーブル判別装置。
【請求項４】
前記絶縁キャップを保持するとともに前記支持アームを長手方向に沿って移動する移動体、
を更に備えたことを特徴とする請求項１〜３の何れか一項に記載の端子台の接続ケーブル判別装置。
【請求項５】
前記移動体は、前記絶縁キャップが着脱自在な形状を呈する
ことを特徴とする請求項４に記載の端子台の接続ケーブル判別装置。
【請求項６】
複数の第１ケーブルが所定方向に配列されるように、前記複数の第１ケーブルの端子が夫々着脱される複数の第１着脱部と、
複数の第２ケーブルが所定方向に配列されるように、前記複数の第２ケーブルの端子が夫々着脱され、前記複数の第１ケーブルと前記複数の第２ケーブルの夫々が電気的に接続されるように、前記複数の第１着脱部に対して隣接するとともに電気的に結合される複数の第２着脱部と、
前記複数の第１着脱部から脱離している前記第１ケーブルの端子が挿入される絶縁キャップと、
前記第１着脱部と対向する位置において前記絶縁キャップを支持する支持アームと、
前記絶縁キャップに挿入されている前記第１ケーブルと電気的に接続されるべき前記第２ケーブルを判別できるように、当該第２ケーブルに装着される判別片と、
を備えたことを特徴とする端子台。
【発明の詳細な説明】
【技術分野】
【０００１】
本発明は、端子台の接続ケーブル判別装置、端子台に関する。
【背景技術】
【０００２】
例えば、複数の第１ケーブルと複数の第２ケーブルを夫々電気的に接続するため端子台が知られている（例えば特許文献１）。
【先行技術文献】
【特許文献】
【０００３】
【特許文献１】特開平６−８９７４７号公報
【発明の概要】
【発明が解決しようとする課題】
【０００４】
一般に、特許文献１の端子台に含め、複数の第１ケーブルと複数の第２ケーブルを夫々電気的に接続するため端子台において、例えば、当該端子台から第１ケーブルの端子が脱離している場合、当該脱離している第１ケーブルの端子に接触したとき、感電する虞がある。又、この場合、第２ケーブルが複数設けられているために、端子が脱離している第１ケーブルと電気的に接続するべき第２ケーブルを判別するのが困難となり当該第２ケーブルの誤接続が引き起こされる虞がある。
【課題を解決するための手段】
【０００５】
前述した課題を解決する主たる本発明は、複数の第１ケーブルが所定方向に配列されるように、前記複数の第１ケーブルの端子が夫々着脱される複数の第１着脱部と、複数の第２ケーブルが所定方向に配列されるように、前記複数の第２ケーブルの端子が夫々着脱され、前記複数の第１ケーブルと前記複数の第２ケーブルの夫々が電気的に接続されるように、前記複数の第１着脱部に対して隣接するとともに電気的に結合される複数の第２着脱部と、を有する端子台の接続ケーブル判別装置であって、前記複数の第１着脱部から脱離している前記第１ケーブルの端子が挿入される絶縁キャップと、前記第１着脱部と対向する位置において前記絶縁キャップを支持する支持アームと、前記絶縁キャップに挿入されている前記第１ケーブルと電気的に接続されるべき前記第２ケーブルを判別できるように、当該第２ケーブルに装着される判別片と、を備えたことを特徴とする端子台の接続ケーブル判別装置である。
【０００６】
本発明の他の特徴については、添付図面及び本明細書の記載により明らかとなる。
【発明の効果】
【０００７】
本発明によれば、着脱部から脱離しているケーブルの端子を電気的に絶縁すると共に当該ケーブルの誤接続を防止することができる。
【図面の簡単な説明】
【０００８】
【図１】本発明の第１実施形態における端子台を示す斜視図である。
【図２】本発明の第１実施形態における端子台を示す平面図である。
【図３】本発明の第１実施形態における端子台を示す正面図である。
【図４】本発明の第１実施形態におけるケーブルの端子を示す平面図である。
【図５】本発明の第１実施形態における端子台とケーブルとを示す断面図である。
【図６】本発明の第１実施形態における絶縁キャップ及び取付部材を示す正面図である。
【図７】本発明の第１実施形態における絶縁キャップ及び取付部材を示す側面図である。
【図８】本発明の第１実施形態における端子が絶縁キャップに挿入されている状態のケーブルと端子台とを示す斜視図である。
【図９】本発明の第２実施形態における端子台を示す斜視図である。
【図１０】本発明の第２実施形態における絶縁キャップが取り外された状態の端子台を示す斜視図である。
【図１１】本発明の第２実施形態における移動体を示す側面図である。
【図１２】本発明の第２実施形態における移動体を示す正面図である。
【図１３】本発明の第２実施形態における端子が絶縁キャップに挿入されている状態のケーブルと端子台とを示す斜視図である。
【図１４】他の絶縁キャップを示す図である。
【発明を実施するための形態】
【０００９】
本明細書および添付図面の記載により、少なくとも以下の事項が明らかとなる。
【００１０】
[第１実施形態]
＝＝＝端子台＝＝＝
以下、図１乃至図３を参照して、本実施形態における端子台について説明する。図１は、本実施形態における端子台を示す斜視図である。図２は、本実施形態における端子台を示す平面図である。図３は、本実施形態における端子台を示す正面図である。尚、図２及び図３においては、説明の便宜上、支持アーム１、キャップ装置５、６が省略されている。
【００１１】
端子台３は、遠隔監視制御装置の内部回路に接続されている一方のケーブル９１、９３、９５（第２ケーブル）夫々と、外部の電力機器に接続されている他方のケーブル９２、９４、９６（第１ケーブル）とを電気的に接続するための端子台である。
【００１２】
端子台３は、基台３０、導電板Ｅ１乃至Ｅ３、座金Ｗ１乃至Ｗ６、ねじＴ１乃至Ｔ６、仕切り板Ｒ１乃至Ｒ７を有する。
【００１３】
尚、ｙ軸は、基台３０の長手方向（所定方向）において延びている軸であり、手前側から奥側に向かう方向を＋ｙとし、奥側から手前側に向かう方向を−ｙとする。ｘ軸は、基台３０の幅方向（短手方向）に沿う軸であり、一方のケーブル９１が取り付けられる側から他方のケーブル９２が取り付けられる側に向かう方向を＋ｘとし、他方のケーブル９２が取り付けられる側から一方のケーブル９１が取り付けられる側に向かう方向−ｘとする。ｚ軸は、基台３０の厚み方向に沿う軸であり、基台３０の裏面から表面に向かう方向を＋ｚとし、基台３０の表面から裏面に向かう方向を−ｚとする。
【００１４】
基台３０は、ｙ軸方向において延びる略矩形柱形状を呈する絶縁性の基台である。
【００１５】
仕切り板Ｒ１乃至Ｒ７は、基台３０の表面（接続面）側（＋ｚ）に複数の領域を形成するための絶縁性の板部材である。仕切り板Ｒ１乃至Ｒ６は、ｘ軸方向に延びており、ｙ軸方向において並べられている。仕切り板Ｒ７は、ｙ軸方向に延びている。
【００１６】
導電板Ｅ１乃至Ｅ３は、一方のケーブル９１、９３、９５夫々と他方のケーブル９２、９４、９６とを電気的に接続するための、ｘ軸方向に延びている金属製の板部材である。導電板Ｅ１は仕切り板Ｒ１、Ｒ２の間に設けられ、導電板Ｅ２は仕切り板Ｒ２、Ｒ３の間に設けられ、導電板Ｅ３は仕切り板Ｒ３、Ｒ４の間に設けられる。尚、仕切り板Ｒ７と基台３０との間には、導電板Ｅ１乃至Ｅ３が挿通されるスリットＴＬ２（図３）が設けられている。導電板Ｅ１乃至Ｅ３は、スリットＴＬ２に挿通されて、仕切り板Ｒ７の一方側（−ｘ）から他方側（＋ｘ）に連続して設けられることになる。導電板Ｅ１乃至Ｅ３における仕切り板Ｒ７の両側には、ねじ孔が設けられている。尚、基台３０における導電板Ｅ１乃至Ｅ３のねじ孔と対向する位置にも、ねじ孔が設けられている。
【００１７】
ねじＴ６は、他方のケーブル９６の端子９６ｔ（図４）と導電板Ｅ３とを電気的に接続した状態で固定するための金属製等の導電性のねじである。ねじＴ６は、座金Ｗ６のねじ孔、端子９６ｔのねじ孔９６ａ、導電板Ｅ３のねじ孔、基台３０のねじ孔に螺合される。つまり、ねじＴ６は、導電板Ｅ３に対して端子９６ｔを電気的に接続するとともに、基台３０に対して導電板Ｅ３及び端子９６ｔを固定している。
【００１８】
ねじＴ５は、端子９５ｔと導電板Ｅ３とを電気的に接続した状態で固定するための金属製等の導電性のねじである。ねじＴ５は、ねじＴ６と同様にして、導電板Ｅ３に対して端子９５ｔを電気的に接続するとともに、基台３０に対して導電板Ｅ３及び端子９５ｔを固定している。
【００１９】
ねじＴ１、Ｔ２は夫々、端子９１ｔ、９２ｔと導電板Ｅ１とを電気的に接続した状態で固定するための金属製等の導電性のねじである。ねじＴ１、Ｔ２は夫々、ねじＴ５、Ｔ６と同様にして、導電板Ｅ１に対して端子９１ｔ、９２ｔを電気的に接続するとともに、基台３０に対して導電板Ｅ１及び端子９１ｔ、９２ｔを固定している。
【００２０】
ねじＴ３、Ｔ４は夫々、端子９３ｔ、９４ｔと導電板Ｅ２とを電気的に接続した状態で固定するための金属製等の導電性のねじである。ねじＴ３、Ｔ４は夫々、ねじＴ５、Ｔ６と同様にして、導電板Ｅ２に対して端子９３ｔ、９４ｔを電気的に接続するとともに、基台３０に対して導電板Ｅ２及び端子９３ｔ、９４ｔを固定している。
【００２１】
端子台３は、更に、支持アーム１、キャップ装置５、６を有する。尚、キャップ装置は、端子台３において説明の便宜上２個設けられているが、例えば１個設けられていることとしてもよいし、３個以上設けられていることとしてもよい。尚、支持アーム１、キャップ装置５、６が端子台の接続ケーブル判別装置に相当する。
【００２２】
支持アーム１は、基台３０から離れた基台３０の上側（＋ｚ）においてキャップ装置５、６を支持するための部材である。支持アーム１は、例えば円柱形状の樹脂製の棒部材が曲げられて形成される。支持アーム１は、第１支持部１１、第２支持部１２、第３支持部１３を有する。
【００２３】
第１支持部１１の一端（−ｚ）は、固定部材３１に固定されている。尚、固定部材３１は、基台３０における手前側（−ｙ）の側面に取り付けられている。第１支持部１１は、上側（＋ｚ）に向かって延びている。第３支持部１３は、第１支持部１１の他端（＋ｚ）から連続しており、＋ｙ方向に向かって延びている。第２支持部１２は、第３支持部１３における奥側の端部（＋ｙ）から連続しており、下側（−ｚ）に向かって伸びている。第２支持部１２における下側の一端は、固定部材３２（図２）に固定されている。尚、固定部材３２は、基台３０における奥側（＋ｙ）の側面に取り付けられている。固定部材３２は、基台３０の略中央を通るｘｚ平面を中心に固定部材３１と対称な位置に設けられている。従って、支持アーム１は、端子台３の基台３０に一体に設けられることになる。又、支持アーム１は、導電板Ｅ１乃至Ｅ３における仕切り板Ｒ７よりも他方のケーブル９２、９４、９６が取り付けられる側（＋ｘ）において、絶縁キャップ５３を支持していることになる。
【００２４】
キャップ装置５、６は、他方のケーブル９２、９４、９６が一方のケーブル９１、９３、９５から電気的に切り離されたときに、切り離された他方のケーブルの端子を導電板Ｅ１乃至Ｅ３から電気的に絶縁した状態で、当該切り離された他方のケーブルが接続されるべき一方のケーブルを判別するための装置である。尚、キャップ装置５、６の詳細については、後述する。
【００２５】
＝＝＝端子＝＝＝
以下、図４乃至図５を参照して、本実施形態における端子について説明する。図４は、本実施形態におけるケーブルの端子を示す平面図である。図５は、本実施形態における端子台とケーブルとを示す断面図である。尚、図５は、図１におけるねじＴ５、Ｔ６を通るｘｚ平面を断面とし−ｙから＋ｙに向かって見た断面図が示されている。
【００２６】
端子９６ｔは、他方のケーブル９６の先端に設けられている。端子９６ｔは、略円形の薄板状の接続部９６ｂを有する。接続部９６ｂには、ねじ孔９６ａが設けられている。尚、端子９１ｔ、９２ｔ、９３ｔ、９４ｔ、９５ｔの構成は、端子９６ｔの構成と同様であるので、その説明については省略する。
【００２７】
＜ケーブルの電気的な接続＞
ねじＴ５が座金Ｗ５のねじ孔、端子９５ｔのねじ孔、導電板Ｅ３のねじ孔、基台３０の螺子孔に螺合され（「ねじＴ５が螺合されている状態」とも称する）、且つ、ねじＴ６が座金Ｗ６のねじ孔、端子９６ｔのねじ孔９６ａ、導電板Ｅ３のねじ孔、基台３０の螺子孔に螺合されたとき、一方のケーブル９５と他方のケーブル９６とは互いに電気的に接続される。
【００２８】
＜ケーブルの電気的な切り離し＞
ねじＴ５が螺合されている状態において、ねじＴ６が取り外されて、端子９６ｔが導電板Ｅ３から電気的に切り離されたとき、一方のケーブル９５と他方のケーブル９６とは互いに電気的に切り離される。このとき、端子９６ｔが露出していると感電の虞があるために、感電しないように端子９６ｔを絶縁体等で覆うことが望ましい。又、他方のケーブル９６の再度の電気的な接続の際の誤接続を防止するために、他方のケーブル９６が接続されるべき一方のケーブルとしての例えば一方のケーブル９５を示しておくことが望ましい。
【００２９】
尚、一方のケーブル９１、９３夫々と他方のケーブル９２、９４との電気的な接続及び切り離しは、一方のケーブル９５と他方のケーブル９６との電気的な接続及び切り離しと同様であるので、その説明については省略する。
【００３０】
尚、導電板Ｅ１乃至Ｅ３における仕切り板Ｒ７よりも他方のケーブル９２、９４、９６側（＋ｘ）と、座金Ｗ２、Ｗ４、Ｗ６、ねじＴ２、Ｔ４、Ｔ６とが複数の第１着脱部に相当する。これらの複数の第１着脱部には、他方のケーブル９２、９４、９６が所定方向（ｙ軸）に配列されるように、端子９２ｔ、９４ｔ、９６ｔが夫々着脱される。
【００３１】
又、導電板Ｅ１乃至Ｅ３における仕切り板Ｒ７よりも一方のケーブル９１、９３、９５側（−ｘ）と、座金Ｗ１、Ｗ３、Ｗ５、ねじＴ１、Ｔ３、Ｔ５とが複数の第２着脱部に相当する。これらの複数の第２着脱部には、一方のケーブル９１、９３、９５が所定方向に配列されるように、端子９１ｔ、９３ｔ、９５ｔが夫々着脱される。複数の第２着脱部は、一方のケーブル９１、９３、９５と他方のケーブル９２、９４、９６の夫々が電気的に接続されるように、複数の第１着脱部に隣接するとともに電気的に結合されている。
【００３２】
＝＝＝キャップ装置＝＝＝
以下、図１、図６乃至図８を参照して、本実施形態におけるキャップ装置について説明する。図６は、本実施形態における絶縁キャップ及び取付部材を示す正面図である。図７は、本実施形態における絶縁キャップ及び取付部材を示す側面図である。図８は、本実施形態における端子が絶縁キャップに挿入されている状態のケーブルと端子台とを示す斜視図である。尚、図６及び図７においては、説明の便宜上、判別片５１及び接続紐５２が省略されている。図７においては、取付部材５４の一部及び挿入孔５３Ａの内形は見えない状態となっているが、説明の便宜上、点線で示されている。
【００３３】
＜キャップ装置の構成＞
キャップ装置５、６は、前述したように、他方のケーブル９２、９４、９６が一方のケーブル９１、９３、９５から電気的に切り離されたときに、切り離された他方のケーブルの端子を導電板Ｅ１乃至Ｅ３から電気的に絶縁した状態で、当該切り離された他方のケーブルが接続されるべき一方のケーブルを判別するための装置である。尚、キャップ装置５の構成は、キャップ装置６の構成と同様であるので、キャップ装置５についてのみ説明し、キャップ装置６の説明については省略する。
【００３４】
キャップ装置５は、判別片５１、接続紐５２、絶縁キャップ５３、取付部材５４を有する。
【００３５】
絶縁キャップ５３は、他方のケーブル９２、９４、９６のうちの電気的に切り離されたケーブルの端子を支持するための絶縁性のキャップである。尚、例えば、他方のケーブル９６が切り離されることとして説明する。絶縁キャップ５３は、例えばシリコン製のゴムによって形成されている。絶縁キャップ５３には、他方のケーブル９６の端子９６ｔが挿入される挿入孔５３Ａが設けられている。
【００３６】
挿入孔５３Ａは、端子９６ｔの接続部９６ｂが挿入されていない状態の挿入孔５３Ａの幅Ｄ３（図６）が、接続部９６ｂの幅Ｄ１（図４）よりも狭くなるように形成されている。従って、接続部９６ｂが挿入孔５３Ａに挿入されるとき、絶縁キャップ５３はｙ軸方向において広がるように変形する。そして、挿入孔５３Ａの内部に接続部９６ｂが挿入されているとき、絶縁キャップ５３の弾性力が接続部９６ｂに付与される。つまり、端子９６ｔは、絶縁キャップ５３から付与される弾性力に基づいて、絶縁キャップ５３によって把持されることになる。このとき、端子９６ｔは、絶縁キャップ５３に対して固定される。
【００３７】
取付部材５４は、支持アーム１に対して絶縁キャップ５３を着脱自在に取り付けるための絶縁性の部材である。取付部材５４は、第３支持部１３を把持して第３支持部１３に取り付けられるように、所定の硬度を有する例えば樹脂製の部材である。取付部材５４は、絶縁キャップ５３の下面（−ｚ）に例えば接着剤等を用いて固定される。尚、取付部材５４は、絶縁キャップ５３に確実に固定されるように、例えば一部がキャップ５３の内部に設けられた状態で固定されることとしてもよい。取付部材５４は、第３支持部１３が延びる方向（ｙ軸）において延びる円筒形状の部材において、取付部材５４の内部に第３支持部１３を嵌めて取り付けるための隙間５４Ａ（図７）が形成されるように下側（−ｚ）が切り欠かれている。
【００３８】
取付部材５４は、第３支持部１３が取り付けられていない状態の取付部材５４の内径Ｄ４（図７）が、第３支持部１３の外径よりも小さくなるように形成されている。従って、第３支持部１３が隙間５４Ａを介して取付部材５４の内部に嵌められて取り付けられるとき、取付部材５４は径が大きくなるように変形する。そして、取付部材５４に第３支持部１３が取り付けられているとき、取付部材５４の弾性力が第３支持部１３に付与される。つまり、第３支持部１３は、取付部材５４の弾性力に基づいて、取付部材５４によって把持されることになる。このとき、取付部材５４は、第３支持部１３に対して取り付けられて固定される。
【００３９】
第３支持部１３に対して取付部材５４が取り付けられているとき、取付部材５４に対してｙ軸方向の力が付与された場合、取付部材５４は、第３支持部１３に沿って＋ｙ方向又は−ｙ方向に移動することになる。
【００４０】
接続紐５２（図１）は、絶縁キャップ５３に対応する判別片５１を示すための絶縁性の接続紐である。接続紐５２は、一端が絶縁キャップ５３に接続されており、他端が判別片５１に接続されている可撓性の接続紐である。
【００４１】
判別片５１は、一方のケーブル９１、９３、９５のうちの絶縁キャップ５３に挿入されている例えば他方のケーブル９６と電気的に接続されるべき一方のケーブル（例えば一方のケーブル９５）を判別できるように、一方のケーブル（例えば一方のケーブル９５）に装着される。判別片５１は、絶縁性の部材である。判別片５１及び接続紐５２は、絶縁キャップ５３と同様な材料を用いて絶縁キャップ５３と一体的に形成されることとしてもよい。尚、判別片５１、接続紐５２、絶縁キャップ５３は夫々別の材料を用いて別体として形成された後、接続されることとしてもよい。判別片５１には、例えば一方のケーブル９５を把持できるように切欠き５１Ａが設けられている。判別片５１には、切欠き５１Ａに基づく隙間を介して隣り合う第１片５１Ｂと第２片５１Ｃとが形成される。
【００４２】
判別片５１は、一方のケーブル９５に取り付けられていない状態の第１片５１Ｂと第２片５１Ｃとの間の隙間の大きさが、一方のケーブル９５の外径の大きさよりも小さくなるように形成されている。従って、判別片５１が一方のケーブル９５に取り付けられるとき、判別片５１は、第１片５１Ｂと第２片５１Ｃとの間の隙間の大きさが大きくなるように変形する。そして、判別片５１が一方のケーブル９５に取り付けられているとき、判別片５１の弾性力が一方のケーブル９５に付与される。つまり、一方のケーブル９５は、判別片５１の弾性力に基づいて、第１片５１Ｂ及び第２片５１Ｃによって把持されることになる。このとき、判別片５１は、一方のケーブル９５に対して装着されて固定されることになる。
【００４３】
＜キャップ装置の色＞
キャップ装置５、６の外面は、いずれのキャップ装置であるかについて目視による把握が容易となるように、夫々異なる色が付されていることとしてもよい。又、キャップ装置５、６の外面は、キャップ装置５の判別片５１及びキャップ装置６の判別片が一方のケーブル９１、９３、９５の何れのケーブルに取り付けられているかの目視による把握が容易となるように、一方のケーブル９１、９３、９５の外面とは異なる色が付されていることとしてもよい。
【００４４】
＝＝＝ケーブルの切り離しと再接続＝＝＝
以下、図１乃至図８を参照して、本実施形態におけるケーブルの切り離しと再接続について説明する。
【００４５】
例えば、端子台３を介して一方のケーブル９１、９３、９５夫々と他方のケーブル９２、９４、９６とが電気的に接続されている状態（図１）において、他方のケーブル９６が電気的に切り離された後、再度、他方のケーブル９６が一方のケーブル９５と電気的に接続される場合について説明する。
【００４６】
＜ケーブルの切り離し＞
ねじＴ５が螺合されている状態において、ねじＴ６が取り外されて、端子９６ｔが導電板Ｅ３から脱離される。端子９６ｔは、絶縁キャップ５３の挿入孔５３Ａに挿入される。このとき、端子９６ｔは、絶縁キャップ５３によって導電板Ｅ３から離れた位置において支持されると共に感電が防止されるように絶縁キャップ５３によって周囲を覆われる。尚、絶縁キャップ５３は、第３支持部１３に沿って移動可能であるので、端子９６ｔの挿入が行われ易い位置に移動される。絶縁キャップ５３に対応する判別片５１が、他方のケーブル９６が接続されるべき一方のケーブルとしての一方のケーブル９５に装着される。
【００４７】
＜ケーブルの再接続＞
この後、他方のケーブル９６を再接続する場合、ケーブルの接続及び切り離しの作業を行う作業者は、他方のケーブル９６の端子９６ｔが絶縁キャップ５３に挿入されていることと判別片５１が一方のケーブル９５に装着されていることとに基づいて、他方のケーブル９６の再接続先の一方のケーブルは一方のケーブル９５であることを判別する。端子９６ｔは、絶縁キャップ５３から抜き出される。端子９６ｔは、ねじＴ６の螺合により導電板Ｅ３と電気的に接続される。この際、他方のケーブル９６が一方のケーブル９５と再度電気的に接続されることになる。
【００４８】
[第２実施形態]
第２実施形態における端子台３Ｂは、第１実施形態における端子台３のキャップ装置５、６をキャップ装置７、８に変更したものである。端子台３Ｂにおけるキャップ装置７、８以外の構成は、端子台３の構成と同様である。
【００４９】
＝＝＝キャップ装置＝＝＝
以下、図９乃至図１３を参照して、本実施形態におけるキャップ装置について説明する。図９は、本実施形態における端子台を示す斜視図である。図１０は、本実施形態における絶縁キャップが取り外された状態の端子台を示す斜視図である。図１１は、本実施形態における移動体を示す側面図である。図１２は、本実施形態における移動体を示す正面図である。図１３は、本実施形態における端子が絶縁キャップに挿入されている状態のケーブルと端子台とを示す斜視図である。
【００５０】
＜キャップ装置の構成＞
キャップ装置７、８は、他方のケーブル９２、９４、９６が一方のケーブル９１、９３、９５から電気的に切り離されたときに、切り離された他方のケーブルの端子を導電板Ｅ１乃至Ｅ３から電気的に絶縁した状態で、当該切り離された他方のケーブルが接続されるべき一方のケーブルを判別ための装置である。尚、キャップ装置７の構成は、キャップ装置８の構成と同様であるので、キャップ装置７についてのみ説明し、キャップ装置８の説明については省略する。尚、支持アーム１、キャップ装置７、８が端子台の接続ケーブル判別装置に相当する。
【００５１】
キャップ装置７は、判別片７１、接続紐７２、絶縁キャップ７３、移動体７４を有する。
【００５２】
判別片７１、接続紐７２、絶縁キャップ７３の構成は夫々、第１実施形態における判別片５１、接続紐５２、絶縁キャップ５３の構成と同様である。
【００５３】
移動体７４は、絶縁キャップ７３を保持するとともに支持アーム１上を長手方向（ｙ軸）に沿って移動する絶縁性の部材である。移動体７４は、絶縁キャップ７３が着脱自在に取り付ける形状を呈している。移動体７４は、第３支持部１３を把持して第３支持部１３に取り付けられると共に絶縁キャップ７３が取り付けられるように、所定の硬度を有する例えば樹脂製の部材である。移動体７４は、絶縁キャップ７３が取り付けられる取付部７６、第３支持部１３が取り付けられる取付部７５を有する。
【００５４】
取付部７５は、第３支持部１３が延びている方向（ｙ軸）において延びる円筒形状の部材において、取付部材７５の内部に第３支持部１３を嵌めて取り付けるための隙間７５Ａ（図１１）が形成されるように下側（−ｚ）が切り欠かれている。尚、取付部７５の構成は、第１実施形態における取付部材５４の構成と同様である。
【００５５】
取付部７６は、第３支持部１３が延びている方向と交差する方向（ｘ軸）において延びる円筒形状の部材において、取付部７６の内部に絶縁キャップ７３を嵌めて取り付けるための隙間７６Ａ（図１２）が形成されるように上側（＋ｚ）が切り欠かられている。取付部７４は、絶縁キャップ７３が取り付けられていない状態の取付部７６の内径Ｄ５が、絶縁キャップ７３の外径よりも小さくなるように形成されている。従って、絶縁キャップ７３が隙間７６Ａを介して取付部７６の内部に嵌められて取り付けられるとき、絶縁キャップ７３は外径が小さくなるように変形する。この後、絶縁キャップ７３の挿入孔７３Ａに端子９６ｔが挿入された場合、絶縁キャップ７３は、端子９６ｔと取付部７６との間において挟まれて更に変形されることになる。そして、絶縁キャップ７３の弾性力に基づいて、絶縁キャップ７３が取付部７６に固定されると共に端子９６ｔが絶縁キャップ７３に固定されることになる。
【００５６】
＜キャップ装置の構成＞
キャップ装置７、８は、第１実施形態におけるキャップ装置５、６と同様な色が付されることとしてもよい。
【００５７】
上述したように、端子台３は、複数の第１着脱部としての導電板Ｅ１乃至Ｅ３における仕切り板Ｒ７よりも他方のケーブル９２、９４、９６側（＋ｘ）の一部と、座金Ｗ２、Ｗ４、Ｗ６、ねじＴ２、Ｔ４、Ｔ６を有する。これらの複数の第１着脱部には、他方のケーブル９２、９４、９６が所定方向（ｙ軸）に配列されるように、端子９２ｔ、９４ｔ、９６ｔが夫々着脱される。端子台３は、更に、複数の第２着脱部としての導電板Ｅ１乃至Ｅ３における仕切り板Ｒ７よりも一方のケーブル９１、９３、９５側（−ｘ）と、座金Ｗ１、Ｗ３、Ｗ５、ねじＴ１、Ｔ３、Ｔ５を有する。これらの複数の第２着脱部には、一方のケーブル９１、９３、９５が所定方向に配列されるように、端子９１ｔ、９３ｔ、９５ｔが夫々着脱される。複数の第２着脱部は、一方のケーブル９１、９３、９５と他方のケーブル９２、９４、９６の夫々が電気的に接続されるように、複数の第１着脱部に隣接するとともに電気的に結合されている。端子台３は、更に、端子台の接続ケーブル判別装置としての、キャップ装置５を有する。キャップ装置５は、絶縁キャップ５３、判別片５１を有する。絶縁キャップ５３は、他方のケーブル９２、９４、９６のうちの複数の第１着脱部から脱離している他方のケーブル９６の端子９６ｔが挿入される。判別片５１は、一方のケーブル９１、９３、９５のうちの絶縁キャップ５３に挿入されている例えば他方のケーブル９６と電気的に接続されるべき一方のケーブル（例えば一方のケーブル９５）を判別できるように、一方のケーブル（例えば一方のケーブル９５）に装着される。従って、他方のケーブル９６の端子９６ｔの端子を絶縁することにより、他方のケーブル９６の脱離による感電を防止することができる。従って、安全性の高い端子台３を提供することができる。又、脱離している他方のケーブル９６の接続されるべき一方のケーブル９５を、判別片５１によって判別することが可能となる。従って、ケーブルの誤接続を防止することができる。
【００５８】
又、キャップ装置５は、接続紐５２を更に有する。接続紐５２は、絶縁キャップ５３と判別片５１を接続している。つまり、接続紐５２によって、絶縁キャップ５３と判別片５１とが対応付けられている。従って、脱離している他方のケーブル９６の接続されるべき一方のケーブル９５を確実に判別することができる。よって、ケーブルの誤接続を確実に防止することができる。
【００５９】
又、端子台３は、支持アーム１を更に有する。支持アーム１は、導電板Ｅ１乃至Ｅ３における仕切り板Ｒ７よりも他方のケーブル９２、９４、９６が取り付けられる側（＋ｘ）において、絶縁キャップ５３を支持していることになる。つまり、支持アーム１は、第１着脱部と対向する位置において絶縁キャップ５３を支持する。絶縁キャップ５３が、第１着脱部の比較的近い位置に設けられることになる。従って、他方のケーブル９６の長さにおいて、いわゆるあそびが比較的少ないときも、他方のケーブル９６の端子９６ｔを絶縁キャップ５３へ確実に挿入することが可能となる。つまり、端子台３の安全性を向上させることができる。又、端子９６ｔの絶縁キャップ５３への挿入が容易となる。つまり、使い勝手のよい端子台３を提供することができる。
【００６０】
又、支持アーム１は、端子台３の基台３０に一体に設けられる。よって、例えば支持アーム１を端子台３と共に持ち運ぶことが可能となる。つまり、可搬性に優れている使い勝手のよい端子台３を提供することができる。
【００６１】
又、端子台３Ｂ（図９）は、キャップ装置７を有する。キャップ装置７は、移動体７４を有する。移動体７４は、絶縁キャップ７３を保持するとともに支持アーム１上を長手方向に沿って移動する。よって、例えば、端子９６ｔの挿入が容易となる位置に絶縁キャップ７３を移動させることができる。つまり、端子台３Ｂの使い勝手を向上させることができる。
【００６２】
又、移動体７４は、絶縁キャップ７３が着脱自在な形状を呈している。よって、例えば、他方のケーブル９６を脱離しない場合は、絶縁キャップ７３を支持アーム１から取り外すことができる。つまり、絶縁キャップ７３が不要なときには絶縁キャップ７３を取り外すことが可能な使い勝手の良い端子台３Ｂを提供することができる。
【００６３】
尚、上記第１及び第２実施形態は、本発明の理解を容易にするためのものであり、本発明を限定して解釈するためのものではない。本発明は、その趣旨を逸脱することなく、変更、改良され得るとともに、本発明にはその等価物も含まれる。
【００６４】
第１実施形態においては、絶縁キャップ５３がシリコン製のゴムによって形成されることについて説明したが、これに限定されるものではない。例えば、キャップ装置５における絶縁キャップ５３を他の絶縁キャップ４（図１４）に変更することとしてもよい。
【００６５】
図１４は、他の絶縁キャップを示す図である。尚、蝶番４５、４６は見えない状態となっているが、説明の便宜上、点線で示されている。他の絶縁キャップ４は、端子９６ｔを保持するととともに端子９６ｔの露出に基づいて感電するのを防止するために端子９６ｔを覆うための例えば樹脂製等の絶縁性の部材である。他の絶縁キャップ４の外形は略円錐台形状を呈する。他の絶縁キャップ４の内部は、例えば端子９６ｔが設けられるように中空形状を呈する。他の絶縁キャップ４は、第１部材４１、第２部材４２、蝶番４５、４６、ストッパ４７を有する。第１部材４１、第２部材４２は、蝶番４５、４６を通る回動軸を中心に回動できるように、蝶番４５、４６によって連結されている。第１部材４１、第２部材４２における側面４３、４４には、例えば他方のケーブル９６が挿通される挿通孔４３Ａが形成されるように切り欠かれている。例えば、端子９６ｔが絶縁キャップ４の内部に入れられたり、キャップ４の内部がから取り出されたりする場合、第１部材４１、第２部材４２が回動して絶縁キャップ４が開閉される。尚、絶縁キャップ４が閉じられたとき、例えばストッパ４７によってロックされることとする。絶縁キャップ４を用いた場合、端子９６ｔを絶縁キャップ４の内部に入れることにより、確実に絶縁することが可能となる。
【００６６】
又、第１実施形態においては、絶縁キャップ５３と判別片５１とが接続紐５２によって接続されることにより、絶縁キャップ５３と判別片５１とが対応付けられることについて説明したが、これに限定されるものではない。例えば、キャップ装置５における接続紐５２を省略すると共に、絶縁キャップ５３及び判別片５１に対して同一の色を付すことにより、絶縁キャップ５３と判別片５１とを対応付けてもよい。この場合、接続紐５２が省略されているために、例えば、他方のケーブル９６の着脱の際に接続紐５２が障害となるのを防止することが可能となる。従って、他方のケーブル９６の着脱を容易に行うことが可能となる。又、例えば、キャップ装置５における接続紐５２を省略すると共に、絶縁キャップ５３及び判別片５１が対応付けられていることを示す目印が、絶縁キャップ５３及び判別片５１の双方に付されることとしてもよい。又、例えば、キャップ装置５における接続紐５２を省略すると共に、絶縁キャップ５３及び判別片５１夫々が、絶縁キャップ５３及び判別片５１が対応付けられていることを示すように、例えば互いに同様な形状とされることとしてもよい。
【００６７】
又、端子台３におけるキャップ装置５、６、支持アーム１、固定部材３１、３２以外の構成を他の端子台として、固定部材３１、３２を例えば他の端子台に対して着脱可能としてもよい。この場合、他の端子台に対して、キャップ装置５、６、支持アーム１を着脱することが可能となる。
【００６８】
又、第１実施形態においては、支持アーム１に対して取付部材５４（図１）が着脱自在であることについて説明したが、これに限定されるものではない。例えば、取付部材５４が支持アーム１の所定位置に取り付けられた後、接着剤等を用いて支持アーム１に対して固定されることとしてもよい。
【００６９】
又、支持アーム１における第１支持部１１及び第２支持部１２が伸縮自在であることとしてもよい。この場合、端子台３を介して接続される一方及び他方のケーブルに供給されている電流の値が比較的大きい場合、第１支持部１１及び第２支持部１２を伸ばして、電気的に切り離されている例えば他方のケーブル９６の端子９６ｔの導電板Ｅ１乃至Ｅ３からの距離を延ばすことができる。従って、端子９６ｔと導電板Ｅ１乃至Ｅ３との間を確実に電気的に絶縁することができる。又、端子台３の設置スペースが比較的狭い場合、例えば、第１支持部１１及び第２支持部１２を縮めて、端子台３をコンパクトにすることができる。
【００７０】
又、第１実施形態においては、他方のケーブル９２、９４、９６が配列される方向（「第１方向」とも称する）と、一方のケーブル９１、９３、９５が配列される方向（「第２方向」とも称する）とが同じ方向（ｙ軸）であることについて説明したが、これに限定されるものではない。第１方向と第２方向とが相互に異なる方向であることとしてもよい。例えば、第１及び第２方向が、第１及び第２方向の間の角度が所定角度となるように交差する方向であることとしてもよい。尚、所定角度とは、例えば、０度より大きく９０度より小さい角度であることとする。又、例えば、端子台３における端子９２ｔ、９４ｔ、９６ｔが着脱される位置を通る線分及び端子９１ｔ、９３ｔ、９５ｔが着脱される位置を通る線分がギザギザ状又は曲線状となるように、他方のケーブル９２、９４、９６及び一方のケーブル９１、９３、９５が配列されることとしてもよい。
【符号の説明】
【００７１】
１                    支持アーム
３、３Ｂ              端子台
５、６、７、８        キャップ装置
５１、７１            判別片
５２、７２            接続紐
５３、７３            絶縁キャップ
７４                  移動体
９１、９３、９５      一方のケーブル
９２、９４、９６      他方のケーブル
【図１】
0005903084.tif 000002
【図２】
0005903084.tif 000003
【図３】
0005903084.tif 000004
【図４】
0005903084.tif 000005
【図５】
0005903084.tif 000006
【図６】
0005903084.tif 000007
【図７】
0005903084.tif 000008
【図８】
0005903084.tif 000009
【図９】
0005903084.tif 000010
【図１０】
0005903084.tif 000011
【図１１】
0005903084.tif 000012
【図１２】
0005903084.tif 000013
【図１３】
0005903084.tif 000014
【図１４】
0005903084.tif 000015